(57)【特許請求の範囲】
【請求項１】
洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りするリレーを有する電源開閉手段と、前記電源開閉手段に並列に接続する第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段に有する前記第１のスイッチをオンして電源をオンするとともに前記蓋をロックし、前記蓋をロックした後、前記第１の水位検知手段が第１の水位を検知すると前記排水手段を動作して排水するようにした洗濯機。
【請求項２】
洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りする第２のスイッチを有する電源開閉手段と、前記電源開閉手段に並列に接続した第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の第１のスイッチをオンして電源をオンするとともに前記蓋をロックし、前記蓋をロックした後、前記第１の水位検知手段が第１の水位を検知すると前記排水手段を動作して排水するようにした洗濯機。
【請求項３】
洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、前記水受け槽内の水を排水する排水手段と、電源を入り切りする第２のスイッチを有する電源開閉手段と、前記電源開閉手段に並列に接続した第１のスイッチならびに前記排水手段を動作させる第３のスイッチを有し前記水受け槽内の所定水位より高く第１の水位より低い第２の水位を検知する第２の水位検知手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の前記第１のスイッチをオンして電源をオンするとともに前記蓋をロックし、前記蓋をロックした後、前記第１の水位検知手段が第１の水位を検知すると前記第２の水位検知手段の前記第３のスイッチを介して前記排水手段を動作して排水するようにした洗濯機。
【発明の詳細な説明】
【０００１】
【発明の属する技術分野】
本発明は、水平軸を中心に回転自在に配設したドラム内で洗濯物の洗濯、すすぎ、脱水を行う洗濯機に関するものである。
【０００２】
【従来の技術】
従来、この種の洗濯機は図８および図９に示すように構成していた。以下、その構成について説明する。
【０００３】
図８に示すように、ドラム１は、外周部に多数の通水孔２を全面に設け、水受け槽３内に回転自在に配設し、開口部を蓋３により開閉自在に閉塞している。ドラム１の回転中心に水平軸５の一端を固定し、水平軸５の他端にドラムプーリー６を固定している。
【０００４】
水受け槽３は、洗濯機本体７よりばね体８で吊り下げ、防振ダンパー９により脱水時の振動が洗濯機本体７に伝達されないように防振支持するとともに、脱水時の振動を低減する重り１０を設けている。ヒータ１１は、水受け槽３内の洗濯水を加熱するものである。排水ポンプ（排水手段）１２は水受け槽３にホース１３で連結し、水受け槽３内の洗濯水を排水するものである。モータ１４は、ドラム１を駆動するもので、ベルト１５を介してドラムプーリー６に連結している。
【０００５】
水位検知手段１６は、水受け槽３に連結し、水受け槽３内の水位に応じた圧力で動作するダイヤフラムに磁性体（いずれも図示せず）を固着しておき、この磁性体をコイル（図示せず）の中心に移動自在に装着し、このコイルを用いて発振回路を形成し、水受け槽３内の水位に応じた圧力によるダイヤフラムの動きにより磁性体とコイルとの位置関係を変化させて、コイルのインダクタンスを変化させ、発振回路の発振周波数の変化を検知することで、水受け槽３内の水位を検知するように構成している。
【０００６】
制御装置１７は、図９に示すように構成しており、制御手段１８は、マイクロコンピュータで構成し、双方向性サイリスタなどで構成したパワースイッチング手段１９を介して、排水ポンプ１２、モータ１４、給水弁２０などを制御し、洗濯、すすぎ、脱水の一連の行程を逐次制御する。
【０００７】
入力設定手段２１は、使用者が必要な設定コース、動作のスタートなどを入力するもので、制御手段１８に入力している。表示手段２２は、入力設定手段２１による設定内容、動作状態などを表示する。報知手段２３は入力設定手段２１の受付音や運転終了時の終了報知音を発生する。回転検知手段２４は、モータ１４の回転数を検知することでドラム１の回転数を検知し、制御手段１８に入力している。記憶手段２５は、一連の制御に必要なデータなどを記憶している。
【０００８】
商用電源２６は、電源を入り切りする電源スイッチ２７によって制御手段１８や排水ポンプ１２、モータ１４、給水弁２０などへの通電をオン・オフし、電源スイッチ遮断用ソレノイド２８に通電すると電源スイッチ２７をオフするようになっている。また、電源スイッチ２７をオンするときは手動にて操作する。ロック装置２９は、動作中に蓋４をロックするものである。
【０００９】
上記構成において動作を説明する。電源スイッチ２７をオンすると、表示手段２２に運転するコースが表示される。つぎに、蓋４を開いてドラム１内に洗濯物を投入し、運転を開始すると、ロック装置２９により蓋４をロックした後、ドラム１をモータ１４によって低速で回転する。この低速回転によってドラム１内の洗濯物は持ち上げられて落下され、この動作をつづけながら給水弁２０より給水する。所定の水量が給水されると、給水を停止して洗濯を続行し、ドラム１内の洗濯物は持ち上げられて水面上に落下される。こうして洗濯行程が進行する。
【００１０】
洗濯行程の後、排水ポンプ１２を駆動して排水し、必要に応じて排水ポンプ１２を駆動しながらドラム１を高速で回転して中間脱水をし、すすぎ行程に入る。すすぎ行程においても洗濯行程と同様の動作を行う。脱水行程では、ドラム１は高速で回転駆動され、洗濯物は遠心脱水される。このとき、ドラム１内の洗濯物の片寄り、すなわちアンバランスが生じると、ドラム１および水受け槽３は振動するが、防振ダンパー９により振動を減衰して洗濯機本体７に伝達されることはない。
【００１１】
脱水行程が終了すると、ロック装置２９の保持を解除し、蓋４を開くことができるようにし、洗濯物を取り出す。ロック装置２９が解除したと同時に電源スイッチ２７をオフとし、完全に製品を電源から分離し安全性を確保している。
【００１２】
【発明が解決しようとする課題】
このような従来の構成では、電源オフ時に給水弁２０の故障や給水弁２０のごみ詰まりなどで水が出っぱなしになったとき、製品から水が溢れたり、電源スイッチ２７をオンせずに蓋４を開けると水が蓋４から溢れるという問題を有していた。
【００１３】
本発明は上記従来の課題を解決するもので、電源オフ時に給水弁の故障などで水が出っぱなしになっても、溢水を防止することを目的としている。
【００１４】
【課題を解決するための手段】
本発明は上記目的を達成するために、洗濯機本体内に防振支持した水受け槽に内包してドラムを回転自在に配設し、ドラムの開口部を蓋で開閉自在に閉塞し、動作中にロック装置により蓋をロックし、水受け槽に給水手段により給水し、第１の水位検知手段により水受け槽内の所定水位とこの所定水位より高い第１の水位を検知し、第１のスイッチを有し水受け槽内の所定水位より高く第１の水位より低い第２の水位を検知する第２の水位検知手段を、電源を入り切りするリレーを有する電源開閉手段に並列に接続し、制御手段により第１の水位検知手段からの信号でドラムを駆動するモータ、水受け槽内の水を排水する排水手段などの動作を制御するよう構成し、制御手段は、第２の水位検知手段が第２の水位を検知すると第２の水位検知手段に有する第１のスイッチをオンして電源をオンするとともに蓋をロックし、蓋をロックした後、第１の水位検知手段が第１の水位を検知すると排水手段を動作して排水するようにしたものである。
【００１５】
これにより、電源オフ時に給水弁の故障などで水が出っぱなしになっても、溢水を防止することができる。
【００１６】
【発明の実施の形態】
本発明の請求項１に記載の発明は、
洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りするリレーを有する電源開閉手段と、前記電源開閉手段に並列に接続する第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段に有する前記第１のスイッチをオンして電源をオンするとともに前記蓋をロックし、前記蓋をロックした後、前記第１の水位検知手段が第１の水位を検知すると前記排水手段を動作して排水するようにしたものであり、電源オフ時に給水弁の故障などで水が出っぱなしになって、第２の水位検知手段により、所定水位より高く第１の水位より低い第２の水位を検知すると、電源開閉手段のリレーをオンして電源をオンするとともに蓋をロックし、さらに水位が上昇して第１の水位検知手段により高い第１の水位を検知すると排水手段を動作させて排水し、これを繰り返すことにより溢水を防止することができ、また、このとき、蓋をロックしているため、蓋を開けることができないため蓋から水が溢れるのを防止することができる。
【００１７】
請求項２に記載の発明は、
洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りする第２のスイッチを有する電源開閉手段と、前記電源開閉手段に並列に接続した第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の第１のスイッチをオンして電源をオンするとともに前記蓋をロックし、前記蓋をロックした後、前記第１の水位検知手段が第１の水位を検知すると前記排水手段を動作して排水するようにしたものであり、電源オフ時に給水弁の故障などで水が出っぱなしになって、第２の水位検知手段により、所定水位より高く第１の水位より低い第２の水位を検知すると、第２の水位検知手段により電源をオンするとともに蓋をロックし、さらに水位が上昇して第１の水位検知手段により第１の水位を検知すると排水手段を動作させて排水し、これを繰り返すことにより溢水を防止することができ、また、このとき、蓋をロックしているため、蓋を開けることができないため蓋から水が溢れるのを防止することができる。
【００１８】
請求項３に記載の発明は、洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、前記水受け槽内の水を排水する排水手段と、電源を入り切りする第２のスイッチを有する電源開閉手段と、前記電源開閉手段に並列に接続した第１のスイッチならびに前記排水手段を動作させる第３のスイッチを有し前記水受け槽内の所定水位より高く第１の水位より低い第２の水位を検知する第２の水位検知手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の前記第１のスイッチをオンして電源をオンするとともに前記蓋をロックし、前記蓋をロックした後、前記第１の水位検知手段が第１の水位を検知すると前記第２の水位検知手段の前記第３のスイッチを介して前記排水手段を動作して排水するようにしたものであり、電源オフ時に給水弁の故障などで水が出っぱなしになって、第２の水位検知手段により、所定水位より高く第１の水位より低い第２の水位を検知すると、第２の水位検知手段により電源をオンするとともに蓋をロックし、さらに水位が上昇して第１の水位を検知すると第２の水位検知手段のスイッチを介して排水手段を動作させて排水し、これを繰り返すことにより溢水を防止することができ、また、このとき、蓋をロックしているため、蓋を開けることができないため蓋から水が溢れるのを防止することができる。
【００１９】
【実施例】
以下、本発明の実施例について、図面を参照しながら説明する。なお、従来例と同じ構成のものは同一符号を付して説明を省略する。
【００２０】
（実施例１）
図１および図２に示すように、第１の水位検知手段３０は、水受け槽３に連結し、水受け槽３内の水位に応じた圧力で動作するダイヤフラムの動きにより、洗濯行程、すすぎ行程での給水水位を設定する所定水位と、この所定水位より高い溢水水位（第１の水位）Ｐ１を検知する。ここで、溢水水位Ｐ１とは、給水弁２０の故障などで水が出っぱなしになった場合に、給水弁２０より水受け槽３に至る給水経路に設けた洗剤投入装置（図示せず）より溢水する可能性があるため、この洗剤投入装置に到達しない水位とする。
【００２１】
第２の水位検知手段３１は、水受け槽３に連結し、水受け槽３内の水位に応じた圧力で動作するダイヤフラムの動きにより、所定水位より高く溢水水位Ｐ１より低い蓋水位（第２の水位）Ｐ２を検知する。ここで、蓋水位Ｐ２とは、蓋４をあけたときドラム１の開口部より溢水しない水位とする。この第２の水位検知手段３１は、スイッチ３１ａ（以下、第１のスイッチ）を有し、電源を入り切りする電源開閉手段を構成するリレー３２に並列に接続している。
【００２２】
制御装置３３は、マイクロコンピュータで構成した制御手段３４を有し、この制御手段３４は双方向性サイリスタなどで構成したパワースイッチング手段１９を介して、排水ポンプ１２、モータ１４、給水弁２０などを制御し、洗濯、すすぎ、脱水の一連の行程を逐次制御するとともに、第２の水位検知手段３１の動作により電源がオンされることによりリレー３２をオンするとともにロック装置２９を動作させて蓋４をロックし、第１の水位検知手段３０からの信号により排水ポンプ１２を断続的に動作するようにしている。他の構成は従来例と同じである。
【００２３】
上記構成において図３を参照しながら動作を説明する。図３の時刻ｔ０〜ｔ３は、制御手段３４による一連の行程の一部を示しており、時刻ｔ０〜ｔ１は排水行程、時刻ｔ１〜ｔ２は最終脱水行程、時刻ｔ２〜ｔ３は最終脱水行程後の惰性回転を示しており、時刻ｔ３で一連の行程を終了し、リレー３２をオフして商用電源２６
より遮断し、安全性を確保する。
【００２４】
一連の行程の動作中に、給水弁２０の故障や給水弁２０のごみ詰まりなどで水が出っぱなしになると、排水行程が終了した時刻ｔ１より徐々に水位が上昇する。時刻ｔ３で一連の行程を終了した後、時刻ｔ４で蓋水位Ｐ２に達すると、蓋水位Ｐ２を検知する第２の水位検知手段３１のスイッチ３１ａがオンになり、電源をオンするとともに、電源がオンされることによりリレー３２をオンし、ロック装置２９を動作させて蓋４をロックする。このため、水位が蓋水位Ｐ２以上になっても蓋４を開けられないのでドラム１の開口部から溢水することはない。
【００２５】
その後、さらに水位が徐々に上昇して、時刻ｔ５で溢水水位Ｐ１に達すると、第１の水位検知手段３０が溢水水位Ｐ１を検知し、排水ポンプ１２を動作させて排水する。このとき、同時に表示手段２２により異常を報知する。時刻ｔ６にて排水した後も時刻ｔ７まで排水ポンプ１２を動作させる。
【００２６】
時刻ｔ７にて排水ポンプ１２を停止すると、給水弁２０の故障や給水弁２０のごみ詰まりなどで水が出っぱなしであるため水位が徐々に上昇し、時刻ｔ８にて蓋水位Ｐ２に達すると、第１の水位検知手段３０が蓋水位Ｐ２を検知し、排水ポンプ１２を動作させて排水する。このとき、時刻ｔ９にて排水した後も時刻ｔ１０まで排水ポンプ１２を動作させる。
【００２７】
このように本実施例によれば、制御手段３４は、第２の水位検知手段３１の動作によりスイッチ３１ａをオンし、電源がオンされることによりリレー３２をオンするとともにロック装置２９を動作させて蓋４をロックし、第１の水位検知手段３０からの信号により排水ポンプ１２を動作するようにしているので、電源オフ時に給水弁２０の故障などで水が出っぱなしになって、第２の水位検知手段３１により、蓋水位Ｐ２を検知すると、リレー３２をオンして電源をオンするとともに蓋４をロックし、さらに水位が上昇して第１の水位検知手段３０により溢水水位Ｐ１を検知すると排水ポンプ１２を動作させて排水し、これを繰り返すことにより溢水を防止することができ、また、このとき、蓋４をロックしているため、蓋４を開けることができないため蓋４から水が溢れるのを防止することができる。
【００２８】
また、第２の水位検知手段３１のスイッチは、蓋水位Ｐ２を検知したとき、リレー３２をオンするために、小型化することができる。また、第２の検知手段３１は、スイッチのオン・オフにヒステリシスを設ける必要がないために小型化することもできる。
【００２９】
なお、本実施例では、排水ポンプ１２が２回目に動作する時刻ｔ８にて、第１の水位検知手段３０が蓋水位Ｐ２を検知すると、排水ポンプ１２を動作させているが、第１の水位検知手段３０が溢水水位Ｐ１を検知したとき、排水ポンプ１２を動作させるようにしても同様の作用効果を得ることができる。
【００３０】
また、運転が終了する前に第１水位検知手段３０により溢水水位Ｐ１を検知すれば、排水ポンプ１２を水がなくなるまで運転し、水が徐々に溜まって蓋水位Ｐ２になれば、再び排水ポンプ１２を運転させる断続運転を行うことにより、運転中での溢水を防止することができる。
【００３１】
（実施例２）
図４に示すように、第２の水位検知手段３５は、水受け槽３に連結し、水受け槽３内の水位に応じた圧力で動作するダイヤフラムの動きにより、蓋水位Ｐ２を検知する。この第２の水位検知手段３４は、蓋水位Ｐ２とリセット水位Ｐ０との間のヒステリシスが大きくなるよう構成するとともに、スイッチ３５ａ（以下第１のスイッチ）を有し、このスイッチ３５ａを電源を入り切りする電源開閉手段を構成する電源スイッチ２７に並列に接続している。
【００３２】
電源スイッチ２７（以下、第２のスイッチ）は、オンするときは手動にて操作してオンし、電源スイッチ遮断用ソレノイド２８に通電するとオフするようになっている。
【００３３】
制御手段３６は、マイクロコンピュータで構成し、双方向性サイリスタなどで構成したパワースイッチング手段１９を介して、排水ポンプ１２、モータ１４、給水弁２０などを制御し、洗濯、すすぎ、脱水の一連の行程を逐次制御するとともに、第２の水位検知手段３５の動作により、第２の水位検知手段３５のスイッチ３５ａを介して電源をオンし、ロック装置２９を動作させて蓋４をロックし、第１の水位検知手段３０からの信号により排水ポンプ１２を断続的に動作するようにしている。他の構成は上記実施例１と同じである。
【００３４】
上記構成において図５を参照しながら動作を説明する。なお、時刻ｔ０〜ｔ３の動作は上記実施例１の動作と同じであるので説明を省略する。ただし、時刻ｔ３で一連の行程を終了すると、電源スイッチ遮断用ソレノイド２８に通電して電源スイッチ２７をオフして商用電源２６より遮断し、安全性を確保する。
【００３５】
一連の行程の動作中に、給水弁２０の故障や給水弁２０のごみ詰まりなどで水が出っぱなしになり、時刻ｔ４で蓋水位Ｐ２に達すると、蓋水位Ｐ２を検知する第２の水位検知手段３５のスイッチ３５ａがオンになり、電源をオンし、ロック装置２９を動作させて蓋４をロックする。このため、水位が蓋水位Ｐ２以上になっても蓋４を開けられないのでドラム１の開口部から溢水することはない。
【００３６】
その後、さらに水位が徐々に上昇して、時刻ｔ５で溢水水位Ｐ１に達すると、第１の水位検知手段３０が溢水水位Ｐ１を検知し、排水ポンプ１２を動作させて排水する。このとき、同時に表示手段２２により異常を報知する。排水ポンプ１２を動作させることにより排水されて、時刻ｔ１１にて水受け槽３内の水位がリセット水位Ｐ０になると、第２の水位検知手段３４のスイッチがオフし、排水ポンプ１２を停止させる。このとき、蓋４はロック装置２９によりロックされたままである。
【００３７】
排水ポンプ１２を停止すると、給水弁２０の故障や給水弁２０のごみ詰まりなどで水が出っぱなしであるため水位が徐々に上昇し、時刻ｔ１２にて蓋水位Ｐ２に達すると、第２の水位検知手段３１により電源をオンし、時刻ｔ１３で溢水水位Ｐ１に達すると、第１の水位検知手段３０が溢水水位Ｐ１を検知し、排水ポンプ１２を動作させて排水する。この動作を繰り返すことにより溢水を防止することができる。
【００３８】
（実施例３）
図６に示すように、第２の水位検知手段３７は、水受け槽３に連結し、水受け槽３内の水位に応じた圧力で動作するダイヤフラムの動きにより、溢水水位Ｐ１を検知したとき閉じる第３のスイッチ３７ａと蓋水位Ｐ２を検知したとき閉じる第１のスイッチ３７ｂとを有している。この第２の水位検知手段３７は、溢水水位Ｐ１とリセット水位Ｐ０との間、および蓋水位Ｐ２とリセット水位Ｐ０との間のヒステリシスが大きくなるよう構成している。第１のスイッチ３７ｂを電源を入り切りする電源開閉手段を構成する電源スイッチ２７（第２のスイッチ）に並列に接続し、第３のスイッチ３７ａを排水ポンプ１２に接続している。
【００３９】
制御手段３８は、マイクロコンピュータで構成し、双方向性サイリスタなどで構成したパワースイッチング手段１９を介して、排水ポンプ１２、モータ１４、給水弁２０などを制御し、洗濯、すすぎ、脱水の一連の行程を逐次制御するとともに、第２の水位検知手段３７の第１のスイッチ３７ｂの動作により電源をオンし、ロック装置２９を動作させて蓋４をロックし、第３のスイッチ３７ａの動作により排水ポンプ１２を動作するようにしている。他の構成は上記実施例２と同じである。
【００４０】
上記構成において図７を参照しながら動作を説明する。なお、時刻ｔ０〜ｔ３の動作は上記実施例２の動作と同じであるので説明を省略する。
【００４１】
一連の行程の動作中に、給水弁２０の故障や給水弁２０のごみ詰まりなどで水が出っぱなしになり、時刻ｔ１４で蓋水位Ｐ２に達すると、第２の水位検知手段３５の第１のスイッチ３７ｂにより電源をオンし、ロック装置２９を動作させて蓋４をロックする。このため、水位が蓋水位Ｐ２以上になっても蓋４を開けられないのでドラム１の開口部から溢水することはない。
【００４２】
その後、さらに水位が徐々に上昇して、時刻ｔ１５で溢水水位Ｐ１に達すると、第２の水位検知手段３７の第３のスイッチ３７ａが閉じて排水ポンプ１２を動作させて排水する。このとき、同時に表示手段２２により異常を報知する。排水ポンプ１２を動作させることにより排水されて、時刻ｔ１６にて水受け槽３内の水位がリセット水位Ｐ０になると、第２の水位検知手段３７の第３のスイッチ３７ａと第１のスイッチ３７ｂがオフし、排水ポンプ１２を停止させる。このとき、蓋４はロック装置２９によりロックされたままである。
【００４３】
排水ポンプ１２を停止すると、給水弁２０の故障や給水弁２０のごみ詰まりなどで水が出っぱなしであるため水位が徐々に上昇し、時刻ｔ１７にて蓋水位Ｐ２に達すると、第２の水位検知手段３１の第１のスイッチ３７ｂにより電源をオンし、時刻ｔ１８で溢水水位Ｐ１に達すると、第３のスイッチ３７ａにより排水ポンプ１２を動作させて排水する。この動作を繰り返すことにより溢水を防止することができる。
【００４４】
【発明の効果】
以上のように本発明の請求項１に記載の発明によれば、洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りするリレーを有する電源開閉手段と、前記電源開閉手段に並列に接続する第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段に有する前記第１のスイッチをオンして電源をオンするとともに前記蓋をロックし、前記蓋をロックした後、前記第１の水位検知手段が第１の水位を検知すると前記排水手段を動作して排水するようにしたから、電源オフ時に給水弁の故障などで水が出っぱなしになっても、第２の水位を検知すると電源をオンするとともに蓋をロックし、さらに水位が上昇して第１の水位を検知すると排水手段を動作させて排水し、これを繰り返すことにより溢水を防止することができ、また、このとき、蓋をロックしているため、蓋を開けることができないため蓋から水が溢れるのを防止することができる。
【００４５】
請求項２に記載の発明によれば、洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、電源を入り切りする第２のスイッチを有する電源開閉手段と、前記電源開閉手段に並列に接続した第１のスイッチを有し前記水受け槽内の所定水位より高く第１の水位より低い第２の水位を検知する第２の水位検知手段と、前記水受け槽内の水を排水する排水手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の第１のスイッチをオンして電源をオンするとともに前記蓋をロックし、前記蓋をロックした後、前記第１の水位検知手段が第１の水位を検知すると前記排水手段を動作して排水するようにしたから、電源オフ時に給水弁の故障などで水が出っぱなしになっても、第２の水位を検知すると、第２の水位検知手段のスイッチを介して電源をオンするとともに蓋をロックし、さらに水位が上昇して第１の水位検知手段により第１の水位を検知すると排水手段を動作させて排水し、これを繰り返すことにより溢水を防止することができ、また、このとき、蓋をロックしているため、蓋を開けることができないため蓋から水が溢れるのを防止することができる。
【００４６】
請求項３に記載の発明によれば、洗濯機本体内に防振支持した水受け槽と、前記水受け槽に内包し回転自在に配設したドラムと、前記ドラムの開口部を開閉自在に閉塞する蓋と、前記ドラムを駆動するモータと、前記水受け槽に給水する給水手段と、前記水受け槽内の所定水位とこの所定水位より高い第１の水位を検知する第１の水位検知手段と、動作中に前記蓋をロックするロック装置と、前記水受け槽内の水を排水する排水手段と、電源を入り切りする第２のスイッチを有する電源開閉手段と、前記電源開閉手段に並列に接続した第１のスイッチならびに前記排水手段を動作させる第３のスイッチを有し前記水受け槽内の所定水位より高く第１の水位より低い第２の水位を検知する第２の水位検知手段と、前記第１の水位検知手段からの信号で前記モータ、前記排水手段などの動作を制御する制御手段とを備え、前記制御手段は、前記第２の水位検知手段が第２の水位を検知すると前記第２の水位検知手段の前記第１のスイッチをオンして電源をオンするとともに前記蓋をロックし、前記蓋をロックした後、前記第１の水位検知手段が第１の水位を検知すると前記第２の水位検知手段の前記第３のスイッチを介して前記排水手段を動作して排水するようにしたから、電源オフ時に給水弁の故障などで水が出っぱなしになっても、第２の水位を検知すると電源をオンするとともに蓋をロックし、さらに水位が上昇して第１の水位を検知すると排水手段を動作させて排水し、溢水水位とリセット水位でこれを繰り返すことにより溢水を防止することができ、また、このとき、蓋をロックしているため、蓋を開けることができないため蓋から水が溢れるのを防止することができる。
【図面の簡単な説明】
【図１】  本発明の第１の実施例の洗濯機のブロック回路図
【図２】  同洗濯機の断面図
【図３】  同洗濯機の動作タイムチャート
【図４】  本発明の第２の実施例の洗濯機のブロック回路図
【図５】  同洗濯機の動作タイムチャート
【図６】  本発明の第３の実施例の洗濯機のブロック回路図
【図７】  同洗濯機の動作タイムチャート
【図８】  従来の洗濯機の断面図
【図９】  従来の洗濯機のブロック回路図
【符号の説明】
１  ドラム
３  水受け槽
４  蓋
７  洗濯機本体
１２  排水ポンプ（排水手段）
１４  モータ
２０  給水弁（給水手段）
２７ 電源スイッチ（第２のスイッチ）
２９  ロック装置
３０  第１の水位検知手段
３１  第２の水位検知手段
３１ａ  スイッチ（第１のスイッチ）
３２  リレー
３４  制御手段
３５ａ スイッチ（第１のスイッチ）
３７ａ 第３のスイッチ
３７ｂ 第１のスイッチ
【図１】
0004356197.tif 000002
【図２】
0004356197.tif 000003
【図３】
0004356197.tif 000004
【図４】
0004356197.tif 000005
【図５】
0004356197.tif 000006
【図６】
0004356197.tif 000007
【図７】
0004356197.tif 000008
【図８】
0004356197.tif 000009
【図９】
0004356197.tif 000010